(57)【要約】      （修正有）【課題】ホストからファイル識別子指定によるデータ入出力要求に応じた記憶デバイスへのデータ入出力処理を実行するファイルシステムを備えた記憶制御装置を含む記憶装置システムの制御方法の提供。【解決手段】ホストと記憶制御装置の間にはコンピュータが通信可能に接続されるとともに、記憶制御装置が備える記憶デバイスの記憶領域上において、ホストごとにアクセス可能なファイル格納領域が確保されており、コンピュータが、ホストごとに付与される第１のＩＤと、前記ファイル格納領域に格納するファイルに付与されるファイル識別子と、の第１の対応づけをデータベースに記憶し、ホストから受信したデータ入出力要求に含まれる第１のＩＤおよびファイル識別子との対応づけと、第１の対応づけとを対照することで、受信した要求を受付けるかどうかを決定する。【選択図】  図１
2004206231.tif 000002
【特許請求の範囲】
【請求項１】
ホストコンピュータと、前記ホストコンピュータから通信路を介して送信されるファイル識別子指定によるデータ入出力要求を受信して、前記受信した要求に応じた記憶デバイスへのデータ入出力処理を実行するファイルシステムを備えた第１の記憶制御装置と、を含む記憶装置システムの制御方法であって、
前記ホストコンピュータと前記第１の記憶制御装置の間には、コンピュータが、前記ホストコンピュータおよび前記第１の記憶制御装置に対して通信可能に接続され、
前記第１の記憶制御装置が備える記憶デバイスの記憶領域上において、前記ホストコンピュータごとにアクセス可能な第１のファイル格納領域が確保され、
前記コンピュータは、
前記ホストコンピュータごとに付与される第１のＩＤと、前記第１のファイル格納領域に格納するファイルに付与されるファイル識別子と、の第１の対応づけをデータベースに記憶し、
前記ホストコンピュータから送信される前記データ入出力要求を受信し、
前記受信した要求に含まれる当該要求の送信元となるホストコンピュータの前記第１のＩＤと当該要求の対象とするファイル識別子との対応づけと、前記第１の対応づけとを対照することで、前記受信した要求を受付けるかどうかを決定し、
前記受信した要求を受付けることを決定した場合に、前記受信した要求を前記第１の記憶制御装置に送信すること、
を特徴とする記憶装置システムの制御方法。
【請求項２】
前記ファイルシステムを備えた第２の記憶制御装置が、前記コンピュータおよび前記第１の記憶制御装置に対して通信可能に接続され、
前記第２の記憶制御装置は、
自身が備える記憶デバイスの記憶領域上において、前記第１のファイル格納領域に格納するファイルの複製元となる第２のファイル格納領域が確保され、
前記コンピュータは、
前記第２のファイル格納領域から前記第１のファイル格納領域へのファイルの複製に関して、複製前の状態を示す第１の状態と複製後の状態を示す第２の状態とを有する状態パラメータと、前記第２の記憶制御装置に付与された第２のＩＤと、前記第２の記憶制御装置にアクセス可能なホストコンピュータの前記第１のＩＤと、の第２の対応づけを前記データベースに記憶し、
前記受信した要求に含まれる当該要求の送信元となるホストコンピュータの前記第１のＩＤと、前記第２の対応づけに記憶する前記第１のＩＤとを対照し、
前記第２の対応づけにおいて、前記対照により一致した第１のＩＤに対応づけられた前記状態パラメータを取得し、
前記取得した状態パラメータの内容が前記第１の状態である場合、前記受信した要求を前記第２の記憶制御装置に送信し、
前記取得した状態パラメータの内容が前記第２の状態である場合、前記受信した要求を前記第１の記憶制御装置に送信すること、
を特徴とする請求項１に記載の記憶装置システムの制御方法。
【請求項３】
前記第２の記憶制御装置は、
自身にアクセス可能なホストコンピュータの前記第１のＩＤと、前記ホストコンピュータがアクセス可能な前記第２のファイル格納領域に格納するファイルに付与されるファイル識別子と、の第３の対応づけを記憶し、
前記コンピュータは、
前記第２の記憶制御装置を前記コンピュータおよび前記第１の記憶制御装置に対して通信可能に接続する場合において、前記第２の記憶制御装置の前記第２のＩＤおよび前記第２の記憶制御装置にアクセス可能なホストコンピュータの前記第１のＩＤを、適宜な入力インターフェースから受信し、
前記受信した第２のＩＤおよび第１のＩＤと、適宜な状態とした前記状態パラメータと、を前記第２の対応づけに記憶し、
前記第３の対応づけにおいて、前記受信した第１のＩＤと一致する前記第１のＩＤに対応づけられた前記ファイル識別子を、前記第２の記憶制御装置から受信し、
前記受信した第１のＩＤおよびファイル識別子を前記第１の対応づけに記憶し、
前記第２の対応づけに記憶した前記状態パラメータの内容を前記第１の状態として記憶すること、
を特徴とする請求項２に記載の記憶装置システムの制御方法。
【請求項４】
前記コンピュータは、
前記第２の記憶制御装置を前記コンピュータおよび前記第１の記憶制御装置に対して通信可能に接続する場合において、前記第２の記憶制御装置の前記第２のＩＤおよび前記第２の記憶制御装置にアクセス可能なホストコンピュータの前記第１のＩＤを、適宜な入力インターフェースから受信し、
前記第１の記憶制御装置が備える記憶デバイスに対し、前記受信した第２のＩＤおよび第１のＩＤに対応づけたファイル識別子にてファイル管理が行われる前記第１のファイル格納領域を確保し、
前記受信した前記第２のＩＤが付与された前記第２の記憶制御装置の前記第２のファイル格納領域に格納されるファイルを、前記ファイル識別子と対応づけて前記確保した第１のファイル格納領域に複製し、
前記第２の対応づけに記憶した前記状態パラメータの内容を前記第２の状態として記憶すること、
を特徴とする請求項３に記載の記憶装置システムの制御方法。
【請求項５】
前記コンピュータは、
前記第２の記憶制御装置を前記コンピュータおよび前記第１の記憶制御装置に対して通信可能に接続する場合において、前記第２の記憶制御装置の前記第２のＩＤおよび前記第２の記憶制御装置にアクセス可能なホストコンピュータの前記第１のＩＤを、適宜な入力インターフェースから受信し、
前記第１の対応づけに記憶する、前記受信した第１のＩＤと一致する第１のＩＤに対応づけられた前記ファイル識別子を取得し、
前記取得したファイル識別子にてファイル管理が行われる前記第１のファイル格納領域について、そのファイル格納領域に格納されるファイルを前記第２のファイル格納領域に複製し、
前記第２の対応づけに記憶した前記状態パラメータの内容を前記第１の状態として記憶すること、
を特徴とする請求項４に記載の記憶装置システムの制御方法。
【請求項６】
前記コンピュータは、
前記第２の記憶制御装置を前記コンピュータおよび前記第１の記憶制御装置に対して通信不能にする場合において、前記第２の記憶制御装置の前記第２のＩＤおよび前記第２の記憶制御装置にアクセス可能なホストコンピュータの前記第１のＩＤを、適宜な入力インターフェースから受信し、
前記第２の対応づけにおいて、前記受信した第１のＩＤおよび第２のＩＤと一致する第１のＩＤおよび第２のＩＤと、それらのＩＤに対応づけられた状態パラメータとを削除し、
前記第１の対応づけにおいて、前記受信した第１のＩＤと一致する第１のＩＤと、そのＩＤに対応づけられた前記ファイル識別子とを削除する、
ことを特徴とする請求項５に記載の記憶装置システムの制御方法。
【請求項７】
前記ファイル識別子は、ファイル名及び／又はディレクトリであることを特徴とする請求項１乃至６のいずれかに記載の記憶装置システムの制御方法。
【請求項８】
ホストコンピュータと、前記ホストコンピュータから通信路を介して送信されるファイル識別子指定によるデータ入出力要求を受信して、前記データ入出力要求に応じた記憶デバイスへのデータ入出力処理を実行するファイルシステムを備えた記憶制御装置と、を含み、
前記ホストコンピュータと前記記憶制御装置の間には、コンピュータが、前記ホストコンピュータおよび前記記憶制御装置に対して通信可能に接続される、記憶装置システムの前記コンピュータにおいて、
前記記憶制御装置が備える記憶デバイスの記憶領域上において、前記ホストコンピュータごとにアクセス可能なファイル格納領域が確保され、
前記ホストコンピュータごとに付与される第１のＩＤと、前記ファイル格納領域に格納するファイルに付与されるファイル識別子と、の第１の対応づけをデータベースに記憶する手段と、
前記ホストコンピュータから送信される前記データ入出力要求を受信する手段と、
前記受信した要求に含まれる当該要求の送信元となるホストコンピュータの前記第１のＩＤと当該要求の対象とするファイル識別子との対応づけと、前記第１の対応づけとを対照することで、前記受信した要求を受付けるかどうかを決定する手段と、
前記受信した要求を受付けることを決定した場合に、前記受信した要求を前記記憶制御装置に送信する手段と、
を有することを特徴とするコンピュータ。
【請求項９】
ホストコンピュータから通信路を介して送信されるファイル識別子指定によるデータ入出力要求を受信して、前記データ入出力要求に応じた記憶デバイスへのデータ入出力処理を実行するファイルシステムを備える記憶制御装置において、
自身が備える記憶デバイスの記憶領域上において、前記ホストコンピュータごとにアクセス可能なファイル格納領域を確保する手段と、
前記ホストコンピュータごとに付与される第１のＩＤと、前記第１のファイル格納領域に格納するファイルに付与されるファイル識別子と、の第１の対応づけをデータベースに記憶する手段と、
前記ホストコンピュータから送信される前記データ入出力要求を受信する手段と、
前記受信した要求に含まれる当該要求の送信元となるホストコンピュータの前記第１のＩＤと当該要求の対象とするファイル識別子との対応づけと、前記第１の対応づけとを対照することで、前記受信した要求を受付けるかどうかを決定する手段と、
前記受信した要求を受付けることを決定した場合に、前記受信した要求に応じた入出力処理の実行を起動する手段と、
を有することを特徴とする記憶制御装置。
【発明の詳細な説明】
【０００１】
【発明の属する技術分野】
本発明は、記憶装置システムの制御方法、コンピュータ、記憶制御装置に関する。
【０００２】
【従来の技術】
近年、情報システム技術の急激な進展に対応するために、企業内の情報システムの設計・運用・保守等を、データセンタ事業者等の外部専門業者にアウトソーシングする機会が増大している。
ここで、データセンタなどでは、サービス利用者（アウトソーシング依頼元の企業・団体等）から従前より使用していたファイルサーバなどの旧記憶制御装置がそのまま移管され、サービス利用者ごとの旧記憶制御装置群にて構成される記憶装置システム（ストレージシステム）を運用しているケースが多い。
なお、このような記憶装置システムは、分散型のデータベースシステムの一形態を成している。この分散型のデータベースシステムの技術としては、特許文献１において、画像データを統合して格納せずに、分散されたデータベースに格納する方法が開示されている。
【０００３】
【特許文献１】
特開平８−３０５７２３号公報
【０００４】
【発明が解決しようとする課題】
ところで、前述した旧記憶制御装置は、サービス利用者が設置するＬＡＮ（Local Area Network）を介して接続されたコンピュータより使用されることを想定している為、異なるサービス利用者間や不特定多数のユーザ間での共有化を考慮した仕組みが備わっていない。このため、データセンタなどにおいて、サービス利用者ごとに旧記憶制御装置を設置する必要が生じ、データセンタ内の設置スペースや運用・保守コストの増大化を招くことになる。
【０００５】
一方、近年において、ディスクアレイ装置などの記憶制御装置の大容量化・高性能化が進行している。このため、データセンタなどにおいては、前述した設置スペースや保守コストの増大化に対処するために、サービス利用者ごとの旧記憶制御装置群を、より大容量・高性能な新記憶制御装置に統合させて運用することが要請されている。
【０００６】
ここで、前述した新記憶制御装置として、ＮＦＳ（Network File System）、ＣＩＦＳ（Common Internet File System）又はＤＡＦＳ（Direct Access File System）等のファイルシステムを備え、ＬＡＮ接続して使用されるＮＡＳ（Network Attached Storage）を導入した場合を考える。この場合、ＮＡＳは、自身が備えるファイルシステムの共有機能を利用して、旧記憶制御装置から移行（複製）されたファイルを管理することになるが、その際には、ＵＮＩＸ（登録商標）系ＯＳ等の"/etc/exports"ファイルなどの管理情報が記述されたファイル（以下、管理情報ファイルと称する）を一元管理する必要が生じることになる。
【０００７】
そのため、前述した管理情報ファイルの登録・メンテナンスなどにおいて設定ミスが生じた場合には、ＮＡＳのサービス提供先となるホストコンピュータ全てに対してその影響が波及することになる。また、ＮＡＳはネットワークに直結するシステム形態をとるため、外部から不正アクセスを受けやすく、管理情報ファイルが漏洩する恐れもつきまとう。すなわち、サービスの継続性やセキュリティ確保の観点から、データセンタなどにおいては、ファイルサーバなどの旧記憶制御装置の統合化が行われず、データセンタ内の設置スペースや運用・保守コストの増大化を招いていた。
【０００８】
本発明は、前述したような課題に基づいてなされたものであり、記憶装置システムの制御方法、コンピュータ、記憶制御装置を提供することを目的とする。
【０００９】
【課題を解決するための手段】
前記課題を解決するための主たる本発明は、ホストコンピュータと、前記ホストコンピュータから通信路を介して送信されるファイル識別子指定によるデータ入出力要求を受信して、前記受信した要求に応じた記憶デバイスへのデータ入出力処理を実行するファイルシステムを備えた第１の記憶制御装置と、を含む記憶装置システムの制御方法であって、
前記ホストコンピュータと前記第１の記憶制御装置の間には、コンピュータが、前記ホストコンピュータおよび前記第１の記憶制御装置に対して通信可能に接続され、
前記第１の記憶制御装置が備える記憶デバイスの記憶領域上において、前記ホストコンピュータごとにアクセス可能な第１のファイル格納領域が確保され、
前記コンピュータは、
前記ホストコンピュータごとに付与される第１のＩＤと、前記第１のファイル格納領域に格納するファイルに付与されるファイル識別子と、の第１の対応づけをデータベースに記憶し、
前記ホストコンピュータから送信される前記データ入出力要求を受信し、
前記受信した要求に含まれる当該要求の送信元となるホストコンピュータの前記第１のＩＤと当該要求の対象とするファイル識別子との対応づけと、前記第１の対応づけとを対照することで、前記受信した要求を受付けるかどうかを決定し、
前記受信した要求を受付けることを決定した場合に、前記受信した要求を前記第１の記憶制御装置に送信すること、を特徴とする。
本発明の他の特徴については、添付図面及び本明細書の記載により明らかにする。
【００１０】
【発明の実施の形態】
＜記憶装置システムの概要＞
図１に本発明の一実施例として説明する記憶装置システム（ストレージシステム）の構成を示す。この記憶装置システムは、ｉＤＣ（インターネット・データセンタ）などで運用される。
ここで、図１において想定する運用形態は、例えば、ｉＤＣにおいて、サービス利用者（企業・団体など）毎に設置される旧ファイルサーバ２０が運用されていた記憶装置システムに対して、旧ファイルサーバ２０を新たに設置した統合ファイルサーバ３０に統合させて運用する場合が考えられる。もしくは、統合ファイルサーバ３０が既に設置されている記憶装置システムに対して、サービス利用者から移管された旧ファイルサーバ２０を設置して、その旧ファイルサーバ２０を統合ファイルサーバ３０に統合させて運用する場合としてもよい。
なお、統合後の旧ファイルサーバ２０は、設置スペースや運用・保守コストを鑑みて、統合ファイルサーバ３０のみを用いた運用に完全に移行させるように記憶装置システムから完全に切り離してもよいし、統合ファイルサーバ３０の機能を拡張又は補助する装置として統合ファイルサーバ３０と併存させて運用してもよい。
【００１１】
以下、図１に示す記憶装置システムの構成要素を具体的に説明する。
同図によれば、記憶装置システムは、業務サーバ（『ホストコンピュータ』）１０、旧ファイルサーバ（『第２の記憶制御装置』）２０、統合ファイルサーバ（『第１の記憶制御装置』）３０、フロントエンドプロセッサ（『コンピュータ』）４０、管理クライアント５０、ファイルサーバ環境リポジトリ（『データベース』）６０によって主に構成される。
【００１２】
なお、業務サーバ１０とフロントエンドプロセッサ４０は、インターネット（不図示）等を経由して第１の通信ネットワーク７０を介して接続される。一方、フロントエンドプロセッサ４０と旧ファイルサーバ２０および統合ファイルサーバ３０は、第２の通信ネットワーク８０を介して接続される。第１の通信ネットワーク７０および第２の通信ネットワーク８０は、ＴＣＰ／ＩＰプロトコルに準拠したネットワーク機器で構成されるＬＡＮ（Local Area Network）やＷＡＮ(Wide Area Network)、専用回線などである。
【００１３】
ここで、業務サーバ１０は、第１の通信ネットワーク７０を介して自身と接続されるフロントエンドプロセッサ４０に対しては、ＩＰアドレス等を相互に認識し通信可能な状態にある。一方、業務サーバ１０は、このフロントプロセッサ４０と第２の通信ネットワーク８０を介して接続される旧ファイルサーバ２０および統合ファイルサーバ３０に対しては、ＩＰアドレス等を相互に認識せず直接通信可能な状態にはない。このため、記憶装置システムにおいて、セキュリティが確保されることになる。
【００１４】
業務サーバ１０は、サービス利用者の業務系システムや基幹系システム等においてサーバとして機能する情報処理装置であり、コンピュータやワークステーション、汎用コンピュータなどで構成される。なお、業務サーバ１０は、前述のシステム等においてクライアントとして機能する業務クライアント（不図示）としてもよい。
【００１５】
旧ファイルサーバ２０および統合ファイルサーバ３０は、データ記憶領域を提供する一又は複数のディスクドライブ等で構成される記憶デバイス２１、３１が各サーバの筐体内部にそれぞれ実装されている。なお、記憶デバイス２１、３１は、ＳＣＳＩ（Small Computer System Interface）規格の通信線などを介して各サーバの筐体外部に接続する構成でもよい。また、記憶デバイス２１、３１は、例えば、ＲＡＩＤ（Redundant Array of Inexpensive Disks）などの方式で運用される。
【００１６】
また、旧ファイルサーバ２０および統合ファイルサーバ３０では、業務サーバ１０から送信されるファイル識別子（ファイル名及び／又はディレクトリなど）指定によるデータ入出力要求を受信して、その要求に応じた記憶デバイス２１、３１へのデータ入出力処理を実行するファイルシステムを備える。なお、前述したファイルシステムとしては、例えば、ＮＦＳ、ＣＩＦＳ又はＤＡＦＳなどが採用される。また、このようなファイルシステムを備えたディスクアレイ装置などの記憶制御装置としては、ＮＡＳ（Network Attached Storage）等が挙げられる。
【００１７】
ここで、統合ファイルサーバ３０では、自身が備えるファイルシステムの機能により、記憶デバイス３１の記憶領域上において、第１のファイル格納領域が確保される。なお、この第１のファイル格納領域は、記憶デバイス２１の記憶領域上に確保された第２のファイル格納領域に格納するファイルの複製先となる。また、この第１のファイル格納領域は、後述のファイルサーバ環境リポジトリ６０によって、ファイル複製元の旧ファイルサーバ２０に対応した業務サーバ１０よりアクセス可能となるように管理される。
【００１８】
また、旧ファイルサーバ２０および統合ファイルサーバ３０は、自身にアクセス可能な業務サーバ１０に付与される第１のＩＤと、この業務サーバ１０がアクセス可能な第２のファイル格納領域に格納するファイルに付与されるファイル識別子（ファイル名、ディレクトリなど）とを対応づけた管理情報ファイル（『第３の対応づけ』）を記憶している。この管理情報ファイルとしては、例えば、ＵＮＩＸ（登録商標）系ＯＳ等の"/etc/exports"ファイルが該当する。
【００１９】
フロントエンドプロセッサ４０は、主として、業務サーバ１０と旧ファイルサーバ２０および統合ファイルサーバ３の中継装置として機能し、パソコンやワークステーション、汎用コンピュータなどで構成される。また、フロントエンドプロセッサ４０は、後述する受付機能および統合・分離機能を提供する。
【００２０】
管理クライアント５０は、自身が備える入力インターフェース手段（マウス、キーボード、タッチパネルなど）を介して、フロントエンドプロセッサ４０へ後述の統合・分離機能に関する処理を依頼するクライアントとして機能する端末装置であり、パソコンやワークステーションなどで構成される。
【００２１】
ファイルサーバ環境リポジトリ６０は、管理テーブル１（『第２の対応づけ』）と、管理テーブル２（『第１の対応づけ』）と、を記憶するデータベース（リポジトリ）である。このファイルサーバ環境リポジトリ６０は、フロントエンドプロセッサ４０が備えるファイルサーバ環境リポジトリ６０の管理ソフトウェア（不図示）を介してのみ、格納データへの操作・定義などを可能とする。
【００２２】
なお、この管理ソフトウェアには、暗号化やユーザ認証などのファイルサーバ環境リポジトリ６０の格納データの機密を保護するための仕組みを備えることが好ましい。このことによって、ファイルサーバ環境リポジトリ６０に格納されたデータ（管理テーブル１、管理テーブル２）は、不正アクセス・ハッキングなどによって直接アクセスされることが困難となり、セキュリティが確保されることになる。
【００２３】
ここで、図２は、前述した管理テーブル１のデータ構造の一例である。同図に示すように、管理テーブル１では、業務サーバ１０に付与されたＩＰアドレスや業務サーバ名などの第１のＩＤと、後述の７つの状態｛初期状態、接続処理中、接続（『第１の状態』）、統合処理中、統合（『第２の状態』）、分離処理中、切断処理中｝のいずれかの内容とする状態パラメータと、この業務サーバ１０がアクセス可能な旧ファイルサーバ２０に付与されたＩＰアドレスや旧ファイルサーバ名などの第２のＩＤと、を対応づけた対照表である。
【００２４】
また、図３は、前述した管理テーブル２のデータ構造の一例である。同図に示すように、管理テーブル２では、業務サーバ１０に付与されたＩＰアドレスや業務サーバ名などの第１のＩＤと、この業務サーバ１０がアクセス可能な第１のファイル格納領域の格納ファイルに対して付与された、ファイル名やディレクトリなどのファイル識別子と、を対応づけた対照表である。
【００２５】
なお、同図では、ファイル識別子として、例えば、ホームディレクトリ"／ｈｏｍｅ"の一階層下に"／業務サーバ識別子（業務サーバ名など）"のサブディレクトリを形成し、このサブディレクトリのさらに一階層下に"旧ファイルサーバ識別子（旧ファイルサーバ名など）"のサブディレクトリを形成した、ディレクトリ（以下、アクセス可能ディレクトリと称する）とする場合を示す。
【００２６】
すなわち、第１のファイル格納領域の格納ファイルは、アクセス可能ディレクトリ"／ｈｏｍｅ／業務サーバ識別子／旧ファイルサーバ識別子"によってファイル管理されることになり、業務サーバ１０は、フロントエンドプロセッサ４０を介して、該当するアクセス可能ディレクトリを自身が備える記憶デバイスの記憶領域上にマウントし、このアクセス可能ディレクトリ以下にあるファイルへのアクセス（参照、更新など）を行える。
【００２７】
また、前述したアクセス可能ディレクトリの構成とすることによって、旧ファイルサーバ２０から統合化に際して複製されたファイルを、旧ファイルサーバ２０及び業務サーバ１０ごとに管理できる。また、このことによって、統合ファイルサーバ３０にて管理されるファイルを、そのオリジナルとなるファイルの複製元である、旧ファイルサーバ２０若しくはその代替機種（以下、"新ファイルサーバ"と称する。）での管理に容易に移行（複製）することができる。
【００２８】
ここで、管理テーブル１と管理テーブル２では、"業務サーバ識別子"という同一の項目があるため、一の管理テーブルに統合させることも可能である。なお、一の管理テーブルに統合した場合には、レコードの重複や矛盾が生じる原因となるため、ファイルサーバ環境リポジトリ６０において、管理テーブル１と管理テーブル２とを個々に記憶管理することが好ましい。
【００２９】
このようにして、本発明に係る記憶装置システムでは、業務サーバ１０と統合ファイルサーバ３０との間に介在させたフロントエンドプロセッサ４０が、統合ファイルサーバ３０にて管理すべき管理情報ファイル（管理テーブル１、管理テーブル２等）をデータベース化して記憶管理する。
【００３０】
ここで、管理情報ファイルは、アクセス権限を与えられた管理クライアント５０によってのみ、フロントエンドプロセッサ４０が備える前述した管理ソフトウェアを介したアクセスが可能である。そのため、管理情報ファイルの設定ミスに伴う障害の波及や外部からの不正アクセス・ハッキングなどを未然に防止することが可能となり、サービス利用者ごとに設置されていた旧ファイルサーバ２０を統合ファイルサーバ３０に統合させた運用が可能となる。
【００３１】
また、本発明に係る記憶装置システムは、統合ファイルサーバ３０のみを用いた運用により、データセンタなどにおいて、設置スペースや運用・保守コストの増大化を抑制することができる。さらに、統合ファイルサーバ３０として使用される従来の記憶制御装置に対し、仕様変更や改造などを必要としない又は最小限にすることができる。
【００３２】
＜記憶装置システムの制御方法＞
＝＝＝状態遷移＝＝＝
記憶装置システムにおいて、旧ファイルサーバ２０から統合ファイルサーバ３０への統合化に係る状態の説明を、図４に示す状態遷移図および図５に示す状態遷移表を用いて説明する。なお、前述の状態としては、例えば、｛"初期状態"、"接続処理中"、"接続（『第１の状態』）"、"統合処理中"、"統合（『第２の状態』）"、"分離処理中"、"切断処理中"｝の７つの状態を定義することができる。
【００３３】
以下、各状態について説明する。
・初期状態：第２の通信ネットワーク８０を介して、旧ファイルサーバ２０と統合ファイルサーバ３０が通信不能な状態を示す。この場合、管理テーブル１には、統合対象の旧ファイルサーバ２０の第２のＩＤおよびこの旧ファイルサーバ２０にアクセス可能な業務サーバ１０の第１のＩＤに対応するレコードが存在しない。
【００３４】
・接続処理中：管理クライアント５０からフロントエンドプロセッサ４０に対して接続要求のイベントが発生した場合において、初期状態から接続状態へ遷移する過程の状態を示す。
【００３５】
・接続状態：第２の通信ネットワーク８０を介して、旧ファイルサーバ２０、統合ファイルサーバ３０及びフロントエンドプロセッサ４０が相互に認識し通信可能な状態を示す。この場合、管理テーブル１には、旧ファイルサーバ２０の第２のＩＤと、この旧ファイルサーバ２０にアクセス可能な業務サーバ１０の第１のＩＤとの対応づけを含んだレコードが生成される。なお、旧ファイルサーバ２０から統合ファイルサーバ３０へのファイル複製は実施されていない。このため、フロントエンドプロセッサ４０は、業務サーバ１０から受信したデータ入出力要求を旧ファイルサーバ２０に転送し、この旧ファイルサーバ２０からの応答を業務サーバ１０へ返送する。
【００３６】
・統合処理中：管理クライアント５０からフロントエンドプロセッサ４０に対して統合要求のイベントが発生した場合において、接続状態から統合状態へ遷移する過程の状態を示す。
【００３７】
・統合状態：第２の通信ネットワーク８０を介して、旧ファイルサーバ２０、統合ファイルサーバ３０及びフロントエンドプロセッサ４０が相互に認識し通信可能な状態にあり、さらに旧ファイルサーバ２０から統合ファイルサーバ３０へのファイル複製が実施された状態を示す。
【００３８】
・分離処理中：管理クライアント５０からフロントエンドプロセッサ４０に対して分離要求のイベントが発生した場合において、統合状態から接続状態へ遷移する過程の状態を示す。
【００３９】
・切断処理中：管理クライアント５０からフロントエンドプロセッサ４０に対して切断要求のイベントが発生した場合において、接続状態から初期状態へ遷移する過程の状態を示す。
【００４０】
以上が、各状態の説明である。フロントエンドプロセッサ４０は、この７つの状態のいずれかを内容とする状態パラメータによって、自身が備える受付機能および統合・分離機能（接続処理、統合処理、分離処理、切断処理）に関する処理を制御する。以下、フロントエンドプロセッサ４０が備える受付機能および統合・分離機能に関する処理について説明する。
【００４１】
＝＝＝受付機能＝＝＝
図６は、フロントエンドプロセッサ４０の受付機能に関する処理フローを説明するフローチャートである。なお、この受付機能に関する処理は、例えば、以下に説明する、受付処理、リポジトリ問い合わせ処理、ファイルサーバ問い合わせ処理が順番に行われる。
【００４２】
［受付処理］
まず、フロントエンドプロセッサ４０は、業務サーバ１０から第１の通信ネットワーク７０を介してファイル識別子（ファイル名及び／又はディレクトリ）指定によるデータ入出力要求を受信すると、そのデータ入出力要求に含まれる、当該要求の送信元となる業務サーバ１０の第１のＩＤ、当該要求の処理対象とするファイル識別子などを取得する（Ｓ６００）。なお、前述したデータ入出力要求のプロトコルとしては、ＮＦＳプロトコルなどが採用される。
【００４３】
［リポジトリ問い合わせ処理］
つぎに、フロントエンドプロセッサ４０は、取得した第１のＩＤと、ファイルサーバ環境リポジトリ６０に記憶する管理テーブル１の各レコードにある第１のＩＤとを対照し、管理テーブル１から、この対照により一致した第１のＩＤに対応づけられる状態パラメータを取得する（Ｓ６０１）。
【００４４】
ここで、取得した状態パラメータの内容が、"統合"又は"接続"であるかを判定する（Ｓ６０２）。Ｓ６０２での判定の結果、状態パラメータの内容が"統合"又は"接続"のいずれかでない場合は（Ｓ６０２：ＮＯ）、当該要求の送信元となる業務サーバ１０に対して当該要求を受付けない旨を示すエラーメッセージを返送する（Ｓ６０３）。なお、状態パラメータの内容が"統合"又は"接続"以外の状態（但し、"初期状態"は除く）である場合においては、受付処理から再開するリトライを、規定回数分、繰り返し実行することが好ましい。
【００４５】
一方、Ｓ６０２での判定の結果、状態パラメータの内容が"統合"又は"接続"のいずれかである場合は（Ｓ６０２：ＹＥＳ）、当該要求を受付けることを決定する。そこで、フロントエンドプロセッサ４０は、取得した第１のＩＤとファイル識別子との対応づけと、ファイルサーバ環境リポジトリ６０に記憶する管理テーブル２とを対照する。この対照の結果、管理テーブル２から、取得した第１のＩＤとファイル識別子との対応づけと一致するレコードにあるアクセス可能ディレクトリを取得する（Ｓ６０４）。なお、このＳ６０４は、Ｓ６０２において同時に実行してもよい。
【００４６】
また、後述の統合・分離機能に関する処理において、状態パラメータの内容が利用される。このため、以上のようなリポジトリ問い合わせ処理を、後述の統合・分離機能に対して問い合わせる処理としてもよい。
【００４７】
［ファイルサーバ問い合わせ処理］
つぎに、フロントエンドプロセッサ４０は、Ｓ６０２において取得した状態パラメータの内容が"接続"である場合は、Ｓ６００にて受信したデータ入出力要求（又はそれに応じた要求）を旧ファイルサーバ２０に送信する。旧ファイルサーバ２０では、フロントエンドプロセッサ４０から受信した要求に従って当該ファイルのアクセス（参照、更新など）が実行され、その実行結果をフロントエンドプロセッサ４０に返送する（Ｓ６０５）。
【００４８】
一方、フロントエンドプロセッサ４０は、Ｓ６０２において取得した状態パラメータの内容が"統合"である場合は、Ｓ６００にて取得したファイル識別子を、Ｓ６０４にて取得したアクセス可能ディレクトリに対応づける。そして、このアクセス可能ディレクトリを用いて、Ｓ６００にて受信したデータ入出力要求に応じた要求を生成し、統合ファイルサーバ３０に送信する。統合ファイルサーバ３０では、フロントエンドプロセッサ４０から受信した要求に従って当該ファイルのアクセス（参照、更新など）が実行され、その実行結果をフロントエンドプロセッサ４０に返送する（Ｓ６０５）。
【００４９】
フロントエンドプロセッサ４０は、旧ファイルサーバ２０又は統合ファイルサーバ３０から受信したファイルアクセスの実行結果を、当該要求の送信元である業務サーバ１０に送信する（Ｓ６０６）。
【００５０】
以上のように、本発明に係る記憶装置システムでは、このフロントエンドプロセッサ４０の受付機能を用いることによって、業務サーバ１０に対する統合ファイルサーバ３０の運用が、セキュリティを確保しつつ行われることになる。このことは、データセンタなどにおいて、設置スペースや運用・保守コストの増大化を抑制することができる。さらに、統合ファイルサーバ３０として使用される従来の記憶制御装置に対し、仕様変更や改造などを必要としない又は最小限にすることができる。
【００５１】
また、このフロントエンドプロセッサ４０の受付機能を用いることによって、統合ファイルサーバ３０への統合化が未実施な状態（前述の"接続"に該当する）にある旧ファイルサーバ２０に対して、この旧ファイルサーバ２０と統合ファイルサーバ３０とを併存させた運用が可能である。このことにより、旧ファイルサーバ２０の有効利用を図ることができる。
【００５２】
＝＝＝統合・分離機能（接続処理）＝＝＝
つぎに、フロントエンドプロセッサ４０の接続処理について、図７のフローチャートを用いて説明する。なお、以下に説明する接続処理とは、記憶装置システムにおいて、第２の通信ネットワーク８０を介して、旧ファイルサーバ２０、統合ファイルサーバ３０及びフロントエンドプロセッサ４０が相互に認識し通信可能な状態にするための処理のことである。
【００５３】
まず、フロントエンドプロセッサ４０は、管理クライアント５０若しくは自身が備える入力インターフェースを介して、第２の通信ネットワーク８０への接続対象とする旧ファイルサーバ２０の第２のＩＤと、この旧ファイルサーバ２０にアクセス可能な業務サーバ１０の第１のＩＤなどを含む接続要求を受信する（Ｓ７００）。
【００５４】
フロントエンドプロセッサ４０は、Ｓ７００にて受信した接続要求に含まれる第１のＩＤと第２のＩＤとの対応づけと、ファイルサーバ環境リポジトリ６０に記憶する管理テーブル１上の第１のＩＤと第２のＩＤとの対応づけを対照する。この対照によって一致した第１のＩＤと第２のＩＤの対応づけが含まれるレコードから状態パラメータを取得し、その内容が"初期状態"かどうかを判定する（Ｓ７０１）。
【００５５】
ここで、取得した状態パラメータの内容が"初期状態"でない場合（Ｓ７０１：ＮＯ）、フロントエンドプロセッサ４０は、接続要求の送信元である業務サーバ１０に対して、当該要求を受付けない旨のエラーメッセージを返送する（Ｓ７０２）。
【００５６】
一方、取得した状態パラメータの内容が"初期状態"の場合（Ｓ７０１：ＹＥＳ）、フロントエンドプロセッサ４０は、ファイルサーバ環境リポジトリ６０に記憶する管理テーブル１に対して、受信した第１のＩＤと、"接続処理中（状態パラメータ）"と、受信した第２のＩＤと、を対応づけた新規レコードを作成する（Ｓ７０３）。なお、この作成したレコードは、管理テーブル１に格納される（Ｓ７０４）。
【００５７】
フロントエンドプロセッサ４０は、旧ファイルサーバ２０に対して、受信した第１のＩＤなどを含んだアクセス要求を送信する。なお、このアクセス要求とは、旧ファイルサーバ２０が記憶する管理情報ファイルから、当該接続要求の送信元の業務サーバ１０がアクセス可能なファイル識別子（ファイル名、ディレクトリ等）を取得するための要求である。この場合において、旧ファイルサーバ２０は、例えば、受信したアクセス要求に含まれる第１のＩＤに基づいて、自身が記憶する管理情報ファイルからアクセス可能なファイル識別子を取得し、フロントエンドプロセッサ４０に送信する（Ｓ７０５）。
【００５８】
フロントエンドプロセッサ４０は、旧ファイルサーバ２０から受信したファイル識別子と、Ｓ７００にて受信した第１のＩＤとを対応づけた新規レコードを作成する（Ｓ７０６）。そして、フロントエンドプロセッサ４０は、この作成したレコードを管理テーブル２に格納するとともに（Ｓ７０７）、Ｓ７０３にて作成したレコードに含まれる状態パラメータの内容を"接続"に変更して（Ｓ７０８）、管理テーブル１に格納する（Ｓ７０９）。
【００５９】
本発明に係る記憶装置システムでは、フロントエンドプロセッサ４０において前述した接続処理の仕組みを備えたことによって、記憶装置システムの運用・保守面での利便性を向上させることができる。また、この接続処理によって新規レコードが生成される管理テーブル１、２等の管理情報については、ファイルサーバ環境リポジトリ６０にてデータベースとして記憶管理されるので、セキュリティを確保しつつ一元管理を行うことができる。
【００６０】
＝＝＝統合・分離機能（統合処理）＝＝＝
つぎに、フロントエンドプロセッサ４０の統合処理について、図８のフローチャートを用いて説明する。
なお、以下に説明する統合処理とは、第２の通信ネットワーク８０を介して、旧ファイルサーバ２０、統合ファイルサーバ３０及びフロントエンドプロセッサ４０が相互に認識し通信可能な状態にあり、さらに旧ファイルサーバ２０から統合ファイルサーバ３０へのファイル複製が実施された状態とするための処理のことである。
【００６１】
まず、フロントエンドプロセッサ４０は、管理クライアント５０若しくは自身が備える入力インターフェースを介して、第２の通信ネットワーク８０に接続された状態にある旧ファイルサーバ２０の第２のＩＤと、この旧ファイルサーバ２０にアクセス可能な業務サーバ１０の第１のＩＤなどを含む統合要求を受信する（Ｓ８００）。
【００６２】
フロントエンドプロセッサ４０は、Ｓ８００にて受信した統合要求に含まれる第１のＩＤと第２のＩＤとの対応づけと、ファイルサーバ環境リポジトリ６０に記憶する管理テーブル１上の第１のＩＤと第２のＩＤとの対応づけを対照する。この対照によって一致した第１のＩＤと第２のＩＤの対応づけが含まれるレコードから状態パラメータを取得し、その内容が"接続"かどうかを判定する（Ｓ８０１）。
【００６３】
ここで、取得した状態パラメータの内容が"接続"でない場合（Ｓ８０１：ＮＯ）、フロントエンドプロセッサ４０は、統合要求の送信元である業務サーバ１０に対して、当該要求を受付けない旨のエラーメッセージを返送する（Ｓ８０２）。
【００６４】
一方、取得した状態パラメータの内容が"接続"の場合（Ｓ８０１：ＹＥＳ）、フロントエンドプロセッサ４０は、ファイルサーバ環境リポジトリ６０に記憶する管理テーブル１に対して、受信した第１のＩＤと、"統合処理中（状態パラメータ）"と、受信した第２のＩＤとを対応づけた新規レコードを作成する（Ｓ８０３）。なお、この作成したレコードは、管理テーブル１に格納される（Ｓ８０４）。
【００６５】
つぎに、フロントエンドプロセッサ４０は、統合ファイルサーバ３０が備える記憶デバイス３１の記憶領域上に、受信した第１のＩＤ及び第２のＩＤに対応づけたアクセス可能ディレクトリを生成し、このアクセス可能ディレクトリにてファイル管理が行われる第１のファイル格納領域を確保する（Ｓ８０５）。
【００６６】
そして、フロントエンドプロセッサ４０は、受信した第２のＩＤが付与された旧ファイルサーバ２０の第２のファイル格納領域に格納されたファイルを、Ｓ８０５にて確保した第１のファイル格納領域に複製する（Ｓ８０６）。また、フロントエンドプロセッサ４０は、Ｓ８０３にて作成したレコードに含まれる状態パラメータの内容を"統合"に変更して（Ｓ８０７）、管理テーブル１に格納する（Ｓ８０８）。
【００６７】
なお、旧ファイルサーバ２０、統合ファイルサーバ３０及びフロントエンドプロセッサ４０が、第２の通信ネットワーク８０を介して相互に認識し通信可能な状態にある場合に、フロントエンドプロセッサ４０が、適宜な周期にて、前述した統合処理を自動的に開始するようにしてもよい。もしくは、フロントエンドプロセッサ４０が、前述した接続状態から引き続いて統合処理を開始してもよい。
【００６８】
本発明に係る記憶装置システムでは、フロントエンドプロセッサ４０において前述した統合処理の仕組みを備えることによって、旧ファイルサーバ２０の統合化をセキュリティを確保しつつ容易に行うことができ、記憶装置システムの運用・保守面での利便性が向上する。
【００６９】
また、統合ファイルサーバ３０は、前述した統合処理において作成されたアクセス可能ディレクトリを用いて、旧ファイルサーバ２０から統合化に際して複製されたファイルを、旧ファイルサーバ２０及び業務サーバ１０ごとに管理している。それゆえに、統合ファイルサーバ３０にて管理されるファイルを、そのオリジナルとなるファイルの複製元である、旧ファイルサーバ２０若しくはその代替機種としての新ファイルサーバ（不図示）での管理に容易に移行（複製）することができる。
【００７０】
＝＝＝統合・分離機能（分離処理）＝＝＝
つぎに、フロントエンドプロセッサ４０の分離処理に関する処理について、図９のフローチャートを用いて説明する。
なお、以下に説明する分離処理とは、統合ファイルサーバ３０にて管理されるファイルを、そのオリジナルとなるファイルの複製元である旧ファイルサーバ２０（又は新ファイルサーバ。『第２の記憶制御装置』）での管理に再び移行（複製）するための処理のことである。なお、このような状況としては、例えば、統合ファイルサーバ３０に障害が発生した場合や、保守時に統合ファイルサーバ３０の運転を一時的に停止する場合などが挙げられる。
【００７１】
まず、フロントエンドプロセッサ４０は、管理クライアント５０若しくは自身が備える入力インターフェースを介して、第２の通信ネットワーク８０に接続された状態にある旧ファイルサーバ２０（又は新ファイルサーバ）の第２のＩＤと、この旧ファイルサーバ２０（又は新ファイルサーバ）にアクセス可能な業務サーバ１０の第１のＩＤなどを含む分離要求を受信する（Ｓ９００）。
【００７２】
フロントエンドプロセッサ４０は、Ｓ９００にて受信した分離要求に含まれる第１のＩＤと第２のＩＤとの対応づけと、ファイルサーバ環境リポジトリ６０に記憶する管理テーブル１上の第１のＩＤと第２のＩＤとの対応づけを対照する。この対照によって一致した第１のＩＤと第２のＩＤの対応づけが含まれるレコードから状態パラメータを取得し、その内容が"統合"かどうかを判定する（Ｓ９０１）。
【００７３】
ここで、取得した状態パラメータの内容が"統合"でない場合（Ｓ９０１：ＮＯ）、フロントエンドプロセッサ４０は、分離要求の送信元である業務サーバ１０に対して、当該要求を受付けない旨のエラーメッセージを返送する（Ｓ９０２）。
【００７４】
一方、取得した状態パラメータの内容が"統合"の場合（Ｓ９０１：ＹＥＳ）、フロントエンドプロセッサ４０は、ファイルサーバ環境リポジトリ６０に記憶する管理テーブル１に対して、受信した第１のＩＤと、"分離処理中（状態パラメータ）"と、受信した第２のＩＤとを対応づけた新規レコードを作成する（Ｓ９０３）。なお、この作成したレコードは、管理テーブル１に格納される（Ｓ９０４）。
【００７５】
つぎに、フロントエンドプロセッサ４０は、ファイルサーバ環境リポジトリ６０に記憶する管理テーブル２上より、受信した第１のＩＤに対応づけられたアクセス可能ディレクトリを取得する（Ｓ９０５）。
【００７６】
フロントエンドプロセッサ４０は、この取得したアクセス可能ディレクトリによってファイル管理が行われる第１のファイル格納領域に関して、そのファイル格納領域に格納されているファイルを、旧ファイルサーバ２０（又は新ファイルサーバ）の第２のファイル格納領域に複製する（Ｓ９０６）。また、Ｓ９０３にて作成したレコードに含まれる状態パラメータの内容を"接続"に変更して（Ｓ９０７）、管理テーブル１に格納する（Ｓ９０８）。
【００７７】
本発明に係る記憶装置システムでは、前述したフロントエンドプロセッサ４０の分離処理の仕組みを備えることによって、統合ファイルサーバ３０にて管理されるファイルを旧ファイルサーバ２０（又は新ファイルサーバ）での管理に移行することが、セキュリティを確保しつつ容易に行える。このため、記憶装置システムの運用に関する利便性が向上することになる。
【００７８】
＝＝＝統合・分離機能（切断処理）＝＝＝
つぎに、フロントエンドプロセッサ４０の切断処理に関する処理について、図１０のフローチャートを用いて説明する。
なお、以下に説明する切断処理とは、第２の通信ネットワーク８０を介して、旧ファイルサーバ２０（又は新ファイルサーバ）、統合ファイルサーバ３０及びフロントエンドプロセッサ４０が相互に認識し通信可能な状態から、旧ファイルサーバ２０を統合ファイルサーバ３０およびフロントエンドプロセッサ４０に対して通信不能な状態にするための処理のことである。このような状況としては、例えば、旧ファイルサーバ２０の統合化が確立し、統合ファイルサーバ３０のみの運用とする場合が挙げられる。
【００７９】
まず、フロントエンドプロセッサ４０は、管理クライアント５０若しくは自身が備える入力インターフェースを介して、第２の通信ネットワーク８０に接続された状態にある旧ファイルサーバ２０（又は新ファイルサーバ）の第２のＩＤと、この旧ファイルサーバ２０（又は新ファイルサーバ）にアクセス可能な業務サーバ１０の第１のＩＤなどを含む切断要求を受信する（Ｓ１０００）。
【００８０】
フロントエンドプロセッサ４０は、Ｓ１０００にて受信した切断要求に含まれる第１のＩＤと第２のＩＤとの対応づけと、ファイルサーバ環境リポジトリ６０に記憶する管理テーブル１上の第１のＩＤと第２のＩＤとの対応づけを対照する。この対照によって一致した第１のＩＤと第２のＩＤの対応づけが含まれるレコードから状態パラメータを取得し、その内容が"接続"かどうかを判定する（Ｓ１００１）。
【００８１】
ここで、取得した状態パラメータの内容が"接続"でない場合（Ｓ１００１：ＮＯ）、フロントエンドプロセッサ４０は、分離要求の送信元である業務サーバ１０に対して、当該要求を受付けない旨のエラーメッセージを返送する（Ｓ１００２）。
【００８２】
一方、取得した状態パラメータの内容が"接続"の場合（Ｓ１００１：ＹＥＳ）、フロントエンドプロセッサ４０は、ファイルサーバ環境リポジトリ６０に記憶する管理テーブル１に対して、受信した第１のＩＤおよび第２のＩＤの対応づけと一致する、第１のＩＤおよび第２のＩＤの対応づけを含むレコードを削除する（Ｓ１００２）。同様に、ファイルサーバ環境リポジトリ６０に記憶する管理テーブル２に対して、受信した第１のＩＤと一致する第１のＩＤを含むレコードを削除する。
【００８３】
なお、以上の切断処理の説明において、管理クライアント５０などからの切断要求を受付けて切断処理を開始するのではなく、フロントエンドプロセッサ４０が、分離処理から引き続いて切断処理を開始してもよい。
【００８４】
本発明に係る記憶装置システムでは、前述したフロントエンドプロセッサ４０の切断処理の仕組みを備えたことによって、記憶装置システムの運用に関する利便性が向上するとともに、統合ファイルサーバ３０単独での運用が可能となる。このため、データセンタなどにおいて、設置スペースや運用・保守コストなどの増大化を抑制することができる。
【００８５】
＝＝＝その他の実施形態＝＝＝
本発明の実施形態として、図１１に示すように、フロントエンドプロセッサ４０と統合ファイルサーバ３０とを備えた記憶制御装置（以下、エンベディッド型統合ファイルサーバと称する）１００も考えられる。
【００８６】
図１１に示す記憶装置システムにおいて、第３の通信ネットワーク９０を介して、業務サーバ１０と、エンベディッド型統合ファイルサーバ３００と、旧ファイルサーバ２０とが相互に認識し通信可能な状態にある。なお、第３の通信ネットワーク９０は、ＴＣＰ／ＩＰプロトコルに準拠したネットワーク機器で構成されるＬＡＮ（Local Area Network）やＷＡＮ(Wide Area Network)、専用回線などである。
【００８７】
このような記憶装置システムにおいて、エンベディッド型統合ファイルサーバ３００はマスターとして、旧ファイルサーバ２０はスレーブとして運用される。例えば、業務サーバ１０は、ファイル識別子指定によるデータ入出力要求を、第３の通信ネットワーク９０を介して、エンベディッド型統合ファイルサーバ３００内部のフロントエンドプロセッサ４０に送信する。ここで、フロントエンドプロセッサ４０が、受信した要求に応じたデータ入出力処理の実行先が旧ファイルサーバ２０であると判断した場合に、当該要求を旧ファイルサーバ２０に転送することとする。
【００８８】
以上の実施形態においても、エンベディッド型統合ファイルサーバ３００内のフロントエンドプロセッサ４０が管理情報ファイルをデータベース化して記憶管理することになる。このため、管理情報ファイルの設定ミスに伴う障害の波及や外部からの不正アクセス・ハッキングを未然に防止することが可能となり、サービス利用者ごとに設置される旧ファイルサーバ２０をエンベディッド型統合ファイルサーバ３００に統合させた運用が可能となる。
【００８９】
さらに、フロントエンドプロセッサ４０と統合ファイルサーバ３０と間の通信速度は、通信ネットワークを介在させない分向上するので、フロントエンドプロセッサ４０の前述した機能（受付機能、統合・分離機能）に関する処理の速度を向上させることができる。
【００９０】
以上、本発明の実施形態について、その実施形態に基づき具体的に説明したが、これに限定されるものではなく、その要旨を逸脱しない範囲で種々変更可能である。
【００９１】
【発明の効果】
本発明によれば、記憶装置システムの制御方法、コンピュータ、記憶制御装置を提供することができる。
【図面の簡単な説明】
【図１】本発明に係る一実施形態としての記憶装置システムの概略構成図である。
【図２】本発明に係る一実施形態としての管理テーブル１のデータ構造である。
【図３】本発明に係る一実施形態としての管理テーブル２のデータ構造である。
【図４】本発明に係る一実施形態としての記憶装置システムにおいて、旧ファイルサーバから統合ファイルサーバへの各移行状態に関する状態遷移図である。
【図５】本発明に係る一実施形態としての記憶装置システムにおいて、旧ファイルサーバから統合ファイルサーバへの各移行状態に関する状態遷移表である。
【図６】本発明に係る一実施形態としてのフロントエンドプロセッサの受付機能に関する処理フローである。
【図７】本発明に係る一実施形態としてのフロントエンドプロセッサの接続処理に関する処理フローである。
【図８】本発明に係る一実施形態としてのフロントエンドプロセッサの統合処理に関する処理フローである。
【図９】本発明に係る一実施形態としてのフロントエンドプロセッサの分離処理に関する処理フローである。
【図１０】本発明に係る一実施形態としてのフロントエンドプロセッサの切断処理に関する処理フローである。
【図１１】本発明に係るその他の実施形態としての記憶装置システムの概略構成図である。
【符号の説明】
１０  業務サーバ
２０  旧ファイルサーバ
２１  記憶デバイス
３０  統合ファイルサーバ
３１  記憶デバイス
４０  フロントエンドプロセッサ
５０  管理クライアント
６０  ファイルサーバ環境リポジトリ
７０  第１の通信ネットワーク
８０  第２の通信ネットワーク
９０  第３の通信ネットワーク
１００  エンベディッド型統合ファイルサーバ
【図１】
2004206231.tif 000003
【図２】
2004206231.tif 000004
【図３】
2004206231.tif 000005
【図４】
2004206231.tif 000006
【図５】
2004206231.tif 000007
【図６】
2004206231.tif 000008
【図７】
2004206231.tif 000009
【図８】
2004206231.tif 000010
【図９】
2004206231.tif 000011
【図１０】
2004206231.tif 000012
【図１１】
2004206231.tif 000013